(57)【要約】【課題】ハンドルの回転を錠装置のスピンドルに伝えて開錠し、ハンドルの回転をスピンドルに伝達しないようにして施錠し、カードで施開錠できるようにした構成が簡単で、部品点数の少ないハンドルロック装置を提供する。【解決手段】台座１内に、スピンドル６に連結した連結カム７を設け、この連結カムに対向して接離可能にスライドカム２８を設け、カードで操作されるアクチュエーター２０の操作軸に回転不能状態で連結する。アクチュエーターが適正なカードにより動作すると、スライドカムは連結カムに接近し、連結ピン３３が係合して、ハンドル２を回転して開錠できる。アクチュエーターが復帰すると、スライドカム２８が連結カム７から離れ、ハンドルの回転はスピンドルに伝達されない。【選択図】図２
2015071914.tif 000002
【特許請求の範囲】
【請求項１】
錠装置のスピンドルの端部に連結カムを設け、該連結カムに対向して接離可能にスライドカムを形成し、該スライドカムをハンドルの受孔に摺動可能かつ回転不能に挿入したスライドブロックに連結し、該スライドブロックを直進動させるアクチュエーター及び該アクチュエーターを動作させる制御装置をハンドル内に設け、上記制御装置が適正なカードを受信した際上記スライドブロックが前進し上記スライドカムと連結カムが係合してハンドルの回転を上記連結カムに伝達するよう上記連結カム若しくはスライドカムに連結ピンを設けたことを特徴とするハンドルロック装置。
【請求項２】
上記ハンドルは台座に回転可能に取り付けられ、上記連結ピンはスライドカムに設けられ、スライドカムが接近した際上記連結ピンが係合するよう上記連結カムの周縁に係合縁を形成し、上記スライドカムとハンドルの内端部の間には、ハンドルの回転を規制するハンドルカムが設けられている請求項１に記載のハンドルロック装置。
【請求項３】
上記台座とハンドル間にはハンドルを最初の位置に復帰させる復帰ばねが設けられている請求項１又は２に記載のハンドルロック装置。
【請求項４】
上記ハンドルの内端部にはハンドルの回転範囲を規制するハンドルカムが設けられている請求項１〜３のいずれかに記載のハンドルロック装置。
【請求項５】
上記ハンドルはハンドルカムにより台座から抜け止めされている請求項４に記載のハンドルロック装置。
【請求項６】
上記スライドブロックとアクチュエーターの操作軸は、負荷対策ばねを介して連結されている請求項１〜５のいずれかに記載のハンドルロック装置。
【請求項７】
上記アクチュエーターの制御装置を駆動する電池はハンドル本体に設けた収納部に挿入され、該収納部は電池を交換できるようハンドル本体から開放可能に設けられている請求項１〜６に記載のハンドルロック装置。
【発明の詳細な説明】
【技術分野】
【０００１】
本発明は、カードを用いてハンドルの回転制御し、錠装置を施錠、開錠できるようにしたハンドルロック装置に関するものである。
【背景技術】
【０００２】
ドアに設けた錠装置のハンドルをロックし、カードを用いて施錠、開錠できるようにしたハンドルロック装置が知られている(例えば特許文献１参照)。特許文献１に示すカード式のロック装置は、ハンドルとともに回転する入力ディスクと、錠装置の駆動シャフト(スピンドル)を受け入れる出力ディスクを組み合わせたクラッチ機構を具備している。そして、この出力ディスクの周縁にスロットを設け、該スロットにブロックピンが係合している状態ではハンドルを回転させても出力ディスク及び該出力ディスクに連結した駆動シャフトが回転せず、錠装置は施錠状態を維持している。そして適正なカードを挿入したとき、ブロックピンに連結したソレノイドが動作して該ブロックピンをスロットから抜き出し、ハンドルの回転を出力ディスクを介して駆動シャフトに伝達して開錠できるよう構成されている。
【０００３】
しかし、特許文献１に記載のロック装置は入力ディスクや出力ディスク等を含むクラッチ機構の構成が複雑で、部品点数も多く、経済的に得ることがむずかしい。その他、ＩＣカード、磁気カード等のカードと電気錠を組み合わせた錠装置も種々提案されているが、いずれも構成が複雑であり、経済的に得にくい。
【先行技術文献】
【特許文献】
【０００４】
【特許文献１】特許第２５５２４５９号公報(請求項１、６欄２７行〜７欄４５行、図面)
【発明の概要】
【発明が解決しようとする課題】
【０００５】
本発明の解決課題は、カードを用いて、ハンドルの回転を制御し、錠装置のスピンドルに伝達したり、断絶したりして施錠、開錠できる簡単な機構を有するハンドルロック装置を提供することである。
【課題を解決するための手段】
【０００６】
本発明によれば、錠装置のスピンドルの端部に連結カムを設け、該連結カムに対向して接離可能にスライドカムを形成し、該スライドカムをハンドルの受孔に摺動可能かつ回転不能に挿入したスライドブロックに連結し、該スライドブロックを直進動させるアクチュエーター及び該アクチュエーターを動作させる制御装置をハンドル内に設け、上記制御装置が適正なカードを受信した際上記スライドブロックが前進し上記スライドカムと連結カムが係合してハンドルの回転を上記連結カムに伝達するよう上記連結カム若しくはスライドカムに連結ピンを設けたことを特徴とするハンドルロック装置が提供され、上記課題が解決される。
【０００７】
本発明によれば、上記ハンドルは台座に回転可能に取り付けられ、上記連結ピンはスライドカムに設けられ、上記スライドカムが接近した際上記連結ピンが係合するよう上記連結カムの周縁に係合縁を形成し、上記ハンドルの内端部にハンドルの回転を規制するハンドルカムを設け、上記台座とハンドル間にハンドルを最初の位置に復帰させる復帰ばねを設けた上記ハンドルロック装置が提供される。
【０００８】
本発明によれば、上記アクチュエーターの制御装置を駆動する電池はハンドル本体に設けた収納部に挿入され、該収納部は電池を交換できるようハンドル本体から開放可能に設けられている上記ハンドルロック装置が提供される。
【発明の効果】
【０００９】
本発明は上記のように構成され、錠装置のスピンドルの端部に連結カムを設け、該連結カムに対向して接離可能にスライドカムを形成し、該スライドカムをハンドルの受孔に摺動可能かつ回転不能に挿入したスライドブロックに連結し、該スライドブロックを直進動させるアクチュエーター及び該アクチュエーターを動作させる制御装置をハンドル内に設け、上記制御装置が適正なカードを受信した際上記スライドブロックが前進し上記スライドカムと連結カムが係合してハンドルの回転を上記連結カムに伝達するよう上記連結カム若しくはスライドカムに連結ピンを設けたから、スライドブロックが移動していないときには、上記連結カムとスライドカムは離れているので、ハンドルを回転しても連結カムは回転しない。そのため、連結カムを取り付けたスピンドルは、上記ハンドルを回転しても回転しないので、錠装置は施錠状態に維持される。ハンドルに設けた制御装置に適正なカードを近接させると、制御装置が信号を受信してアクチュエーターを駆動し、スライドブロックを前進させ、スライドブロックに連結したスライドカムが連結カムに接近し、連結ピンによりスライドカムと連結カムが係合状態となる。そしてハンドルを回転させると、スライドカムも回転するから、連結ピンを介して連結カムは回転し、スピンドルが回転して錠装置のラッチを外し、開錠することができる。上記のように、本発明のハンドルロック装置は、スライドカムを連結カムに接離してハンドルの回転を伝達したり伝達しないようにしたので、部品点数が少なく、構成が簡単で経済的に得ることができる。
【００１０】
また、上記ハンドルを台座に回転可能に取り付け、上記連結ピンをスライドカムに設け、該スライドカムが接近した際上記連結ピンが係合するよう上記連結カムの周縁に係合縁を形成し、上記ハンドルの内端部にハンドルの回転を規制するハンドルカムを設けると、ハンドルの回転範囲が規制されて使用感がよく、またハンドルカムによりハンドルは台座から抜け止めされ、壊れにくい。ハンドルと台座の間に復帰ばねを設けて、ハンドルを回転した際自動的に最初の位置にハンドルが復帰するようにすると、スライドカムと連結カムを静止状態で常に同じ位置に対向させることができるから、制御装置が適正なカードを検出して上記スライドカムが前進した際、連結カムと連結ピンは確実に係合し、誤動作するおそれがない。
【図面の簡単な説明】
【００１１】
【図１】本発明の一実施例を示す正面図。
【図２】施錠状態の断面図。
【図３】開錠状態の台座部分を示す拡大断面図。
【図４】図３のＡ―Ａ線説明図。
【図５】図３のＢ―Ｂ線説明図。
【図６】図３のＣ―Ｃ線説明図。
【図７】他の実施例を示す一部の断面図。
【発明を実施するための形態】
【００１２】
図１〜図３は本発明の一実施例を示し、ドアの外面に取り付けられる台座１にはハンドル、図に示す実施例ではハブ部３と柄部４を有するレバーハンドル２が回転可能にかつ抜き出し不能状態に取り付けられている。上記台座１は取付軸５をドアに貫通させてドアの内面側からねじ（図示略）で固定され、図示を省いたドアの内面側の台座及びハンドルもほぼ同様にして固定されている。ドアには公知のようにラッチと該ラッチを進退させるスピンドル（角芯）６を有する錠装置（図示略）が設けられ、スピンドル６の先端は台座１の内方に突出している。図示を省いたドアの内側の台座内に突出するスピンドルはハンドルに連結されているが、図２に示すように、外側の台座１内に突出するスピンドル６には、連結カム７が設けられている。
【００１３】
図２に示すように、連結カム７は台座１の裏蓋８に内接する板状のカム部９と、断面四角形に形成されたスピンドル６に嵌合するソケット部１０を有し、ソケット部１０は裏蓋の裏面から止め輪１１で抜け止めされている。該連結カム７を回転させると上記スピンドル６が回転し、錠装置のラッチを出没させることができる。図６に示すように、板状の上記カム部９は、円周方向に間隔を空けて対向する弧状の係止縁１２を凹部１３の両側に設けた形状に形成されている。
【００１４】
上記ハンドル２のハブ部３は台座１の取付孔１４に回転可能に挿入され、内方端にハンドルカム１５をねじ１６で固定してある。該ハンドルカム１５は台座１の内面に内接し、上記取付軸５の基端に係合可能な係止片１７が、周面の１８０度対向する位置に形成されている。このハンドルカム１５によりハンドル２は係止片１７が取付軸５に当接する位置まで回転することができる。ハンドル２のハブ部３の外周と台座１の取付孔１４の間にはコイルばね等により構成した復帰ばね１８を設けてあり、ハンドル２を回転して手を離すとハンドル２が自動的に最初の位置に戻るよう復帰ばね１８の端部をそれぞれの部材に連結してある。
【００１５】
上記ハンドル２のハブ部３には、操作軸１９を進退させることができる適宜のアクチュエーター２０が設けられている。このアクチュエーター２０としてはソレノイドを使用することもできるが、モーターアクチュエーター、リニアアクチュエーター、リニアシリンダー、電動スライダー、電動シリンダーその他のアクチュエーターを好適に用いることができ、実施例ではハンドル２のハブ部３に収納できる小型の電動アクチュエーターを用いている。また、ＩＣカード、磁気カード等の非接触カードを近接した際、適正なカードを受信したとき該アクチュエーター２０を動作させるためのアンテナ基板２１、受信回路等を含む公知の制御装置２２をハンドル２の柄部４に設けてある。なお、制御装置の電源となる電池２３を収納するための電池収納部２４をハンドル２の柄部４に設けてあり、この収納部２４は電池２３を交換できるよう開放可能に形成されている。そのような構成としては、例えば開閉可能な蓋３５を設けたり、収納部をケース状に形成し該ケースを柄部に挿入式に脱着可能にしたり(図示略)、図７に示すように、収納部自体を別体に形成しねじ部３４を設けて柄部に着脱自在に装着できるようにすることができる。
【００１６】
上記アクチュエーター２０を設けたハブ部３の内方にはハブ部３の軸方向に移動可能かつ回転不能にスライドブロック２５が設けられている。該スライドブロック２５は、図に示す実施例では、縦長の断面略矩形状に形成され、ハブ部に形成した矩形状の受孔２６に摺動可能かつ回転不能に挿入されている。上記アクチュエーター２０の操作軸１９の前進、後退にともなって直進動して進退するよう上記スライドブロック２５には上記操作軸１９が連結されている。なお、操作軸１９とスライドブロック２５の位置が周方向にずれていると、操作軸が進退したときに円滑にスライドブロックが移動しないこともあるので、そのような事態を生じないよう上記操作軸１９とスライドブロック２５は、周方向の変位を吸収できる負荷対策ばね２７を介して連結してある。
【００１７】
上記スライドブロック２５には、上記連結カム７に対向するスライドカム２８が連結されている。該スライドカム２８は周縁に係止縁２９を形成した板状体に形成され、中央に設けた角孔３０をスライドブロック２５の内方端に形成した小角軸部３１に嵌入し、ねじ３２により上記スライドブロック２５に回転不能に固定してあるが、スライドブロックと一体的に形成することもできる。スライドカム２８には、上記連結カム７に係合可能な連結ピン３３が軸方向に突設されている。該スライドカム２８は、上記スライドブロック２５に連結されているので、スライドブロック２５が移動した際、上記連結カム７に接離可能であり、近接すると、上記連結ピン３３が連結カム７の凹部１３に入り込み、離れると、上記連結ピン３３は連結カム７の凹部１３から抜け出す。なお、連結ピン３３を連結カム７に設け、スライドカム２８に凹部と係止縁を設け、スライドカムが移動した際、該連結ピンがスライドカムの凹部に入り込むようにしてもよい（図示略）。
【００１８】
上記の構成により、平常時、アクチュエーター２０の制御装置が適正なカードを検知していないとき、スライドカム２８は後退しており、連結ピン３３は連結カム７に係合していない。したがって、ハンドル２を回転しても、その回転は連結カム７に伝達されないからスピンドル６は回転せず、錠装置(図示略)は施錠状態を維持している。
【００１９】
上記制御装置が適正なカードを検出すると、アクチュエーター２０が動作し、操作軸１９が前進し、スライドブロック２５を介しスライドカム２８が連結カム７に接近して、連結ピン３３が連結カム７と係合する(図３参照)。この状態でハンドル２を回転すると、ハンドルの回転によりスライドカム２８の連結ピン３３が連結カム７の係止縁１２に当接し、連結カム７を設けた上記スピンドル６を回転させることができ、その結果、錠装置のラッチを開錠位置に移動させることができる。また、開錠位置からハンドル２をもとの位置に戻すとスピンドル６が逆方向に回転して施錠することができる。
【００２０】
上記アクチュエーター２０の操作軸１９が後退すると、スライドカム２８を介して連結ピン３３は連結カム７から離れ、錠装置が施錠状態に維持される(図２参照)。制御装置には、アクチュエーターの操作軸を適時に後退せるための適宜の回路を設けることができる。例えばタイマーを設け、所定の時間が経過したらアクチュエーターの操作軸が復帰するようにしたり、アンテナ基板に再度適正なカードを近づけたときアクチュエーターの操作軸を後退させるように構成することができる。
【００２１】
上記のように本発明のハンドルロック装置はアクチュエーターによりスライドブロック及びスライドカムを進退させてハンドルの回転を、スピンドルに設けた連結カムに伝達し、若しくは伝達しないようにしたので、部品点数が少なく、構成が簡単で経済的に得られる。
【符号の説明】
【００２２】
１    台座
２    レバーハンドル
３    ハブ部
４    柄部
５    取付軸
６    スピンドル
７    連結カム
１５  ハンドルカム
１８  復帰ばね
１９  操作軸
２０  アクチュエーター
２１  アンテナ基板
２５  スライドブロック
２７  負荷対策ばね
２８  スライドカム
３３  連結ピン
【図１】
2015071914.tif 000003
【図２】
2015071914.tif 000004
【図３】
2015071914.tif 000005
【図４】
2015071914.tif 000006
【図５】
2015071914.tif 000007
【図６】
2015071914.tif 000008
【図７】
2015071914.tif 000009